(57)【特許請求の範囲】
【請求項１】
受片と留金片とにそれぞれ左右一対の脚片を形成しておき、各脚片をシリコーン樹脂片へ差込んだ後前記シリコーン樹脂片の面に沿わせて折曲し、しかる後、少なくとも折曲された各脚片の周辺をＨＴＶシリコーンで塞ぎ、さらに、その上から液状のＲＴＶシリコーンを流し込んで各脚片を前記シリコーン樹脂片に埋入し、受片と留金片とを前記シリコーン樹脂片に固着させることを特徴とする調整用鉤部材の製造方法。
【請求項２】
シリコーン樹脂片に左右一対の脚片を差し込み得る孔が形成されていることを特徴とする請求項１記載の調整用鉤部材の製造方法。
【請求項３】
各脚片をシリコーン樹脂片の窪みに嵌入させ得る基板に係合させて折曲することを特徴とする請求項１記載の調整用鉤部材の製造方法。
【発明の詳細な説明】
【技術分野】
【０００１】
本発明は、ズボンやスカートなどの衣類において、主として腰周りの打合わせ部分に取り付けられている係止具に取り付け得るものであって、特に伸縮性を有し、ウエストのサイズを調整するために用いる鉤部材の製造方法に関するものである。
【背景技術】
【０００２】
従来、ズボンやスカートのウエストサイズ調整のための部材として、例えば、特許文献１や特許文献２に見られるような技術があった。
これらの調整用鉤部材でもウエストサイズを調整できるが、摺動レールを備えており、さらに、スプリングやガイドなどの多くの部材から形成されている。
【０００３】
しかし、これらの調整用鉤部材はできるだけ簡単な構造となっていることが好ましく、また、絶えず打合わせ部分に取り付けられるものであるため、できるだけ簡単な構造で、生産コストも安くできるものであることが好ましい。一方、取り付け時に衣類の打合わせ部分が大きく膨らむものであっては、体裁が悪いので、好ましくない。
【０００４】
このような要望に応えることができるようにするために、本出願人は特許文献３に示す調整用鉤部材を提案している。
【先行技術文献】
【特許文献】
【０００５】
【特許文献１】特開２００１−８７０１０号公報
【０００６】
【特許文献２】特開２００２−１７４０９号公報
【０００７】
【特許文献３】特開２００４−３３５２６号公報
【発明の概要】
【発明が解決しようとする課題】
【０００８】
本出願人が提案した調整用鉤部材は、その本体としてシリコーン樹脂片を使用することにより、従来の場合には不可能であった縫い付けが不要で、ズボンやスカートなどどのような衣類にも即時に使用可能であるが、本調整用鉤部材の受片に衣類の打ち合わせ部分に取り付けられているフック部材を係入させたとき、両者の係合状態が外れる可能性があって改良すべき点を有していた。
【０００９】
本発明は、シリコーン樹脂片に一部が埋入されている受片と留金片とがシリコーン樹脂片から外れない調整用鉤部材の製造方法を提供することを目的とする。
【課題を解決するための手段】
【００１０】
本発明による製造方法においては、受片と留金片とにそれぞれ左右一対の脚片を形成しておき、各脚片をシリコーン樹脂片へ差込んだ後前記シリコーン樹脂片の面に沿わせて折曲し、しかる後、少なくとも折曲された各脚片の周辺をＨＴＶシリコーンで塞ぎ、さらに、その上から液状のＲＴＶシリコーンを流し込んで各脚片を前記シリコーン樹脂片に埋入し、前記受片と留金片とを前記シリコーン樹脂片に固着させる。
この製造方法によれば、受片と留金片とが２種類のシリコーンでシリコーン樹脂片に固定されるから、シリコーン樹脂片から妄りに外れることがない。また、見映えも良い。さらに、シリコーン樹脂片の片面に備えられている受片に衣類に取り付けられている係止具のフック部材を係入し、シリコーン樹脂片の他の面に備えられている留金片を前記係止具のアイ部材に掛合させることにより、シリコーン樹脂片がアイ部材とフック部材の相反する方向から引っ張られることになるが、受片と留金片の腹部がシリコーン樹脂片に埋入・固定されているため、このような引っ張り応力にも十分耐え得る。
【００１１】
シリコーン樹脂片に左右一対の脚片を差し込み得る孔が形成されている。このような孔が形成されていると、前記シリコーン樹脂片に左右一対の脚片を装着しやすく、また、シリコーン樹脂片に装着した受片と留金片の安定性も良い。
【００１２】
各脚片をシリコーン樹脂片の窪みに嵌入させ得る基板に係合させて折曲することが好ましい。このようにした場合には、シリコーン樹脂片に装着した受片と留金片の安定性がさらに良くなるので、受片と留金片とが２種類のシリコーンでシリコーン樹脂片に一層強固に固定されることになる。したがって、受片と留金片とがシリコーン樹脂片から妄りに離脱することがない。
【発明の効果】
【００１３】
請求項１記載の発明によれば、受片と留金片とが２種類のシリコーンでシリコーン樹脂片に固定され、シリコーン樹脂片から外れないものとすることができる。また、見映えも良い。さらに、受片と留金片の腹部がシリコーン樹脂片に埋入・固定されているため、シリコーン樹脂片がアイ部材とフック部材の相反する方向から引っ張られる応力にも十分耐え得る。
【００１４】
請求項２記載の発明によれば、シリコーン樹脂片に左右一対の脚片を装着しやすく、また、シリコーン樹脂片に装着した受片と留金片の安定性も良い調整用鉤部材を製造することができる。
【００１５】
請求項３記載の発明によれば、受片と留金片とがシリコーン樹脂片から妄りに離脱することがない調整用鉤部材を製造することができる。
【図面の簡単な説明】
【００１６】
【図１】本発明による製造方法により得られた調整用鉤部材の一例を示す斜視図で、(a)は片方から見た場合を、(b)は(a)の状態から調整用鉤部材を裏返して見た場合を示す。
【図２】図１に示すものとは異なる変形例を示す斜視図で、(a)は片方から見た場合を、(b)は(a)の状態から調整用鉤部材を裏返して見た場合を示す。
【図３】シリコーン樹脂片の一部を拡大して示す平面図で、(a)は片方から見た場合を、(b)は(a)の状態から調整用鉤部材を裏返して見た場合を示す。
【図４】シリコーン樹脂片に装着される受片と、この受片に形成されている左右一対の脚片を係合させ得る基板とを示す拡大斜視図である。
【図５】図４に示す受片と基板をシリコーン樹脂片に装着する状況を、工程順に示す拡大断面図である。
【図６】シリコーン樹脂片に装着される留金片と、この留金片に形成されている左右一対の脚片を係合させ得る基板とを示す拡大斜視図である。
【図７】図６に示す留金片と基板をシリコーン樹脂片に装着する状況を、工程順に示す拡大断面図である。
【図８】衣類の一つであるズボンの打合わせ部分に、フック部材とアイ部材とからなる係止具を取り付けた状態を示す斜視図である。
【図９】図８に示す係止具に本発明による製造方法により得られた調整用鉤部材を取り付けた状態を示す正面図である。
【図１０】本発明による製造方法により得られた調整用鉤部材の受片に、衣類の一つであるズボンの打合わせ部分に取り付けられている係止具のフック部材を係入し、本発明による製造方法により得られた調整用鉤部材を前記係止具に取り付けた状態を示す断面図である。
【発明を実施するための形態】
【００１７】
本発明による製造方法により得られた調整用鉤部材の一例を、図面に基いて詳細に説明する。本発明による製造方法により得られた調整用鉤部材は、図８に示すズボンＢやスカートのような衣類の打合わせ部分に取り付けられているフック部材Ｃとアイ部材Ｄとからなる係止具に取り付け得るものであり、後述するように、前記フック部材Ｃを係入させ得る受片２と前記アイ部材Ｄに掛合させ得る留金片３とを備えている。
【００１８】
図１に、本発明による製造方法により得られた調整用鉤部材Ａの一例を示す。また、図２に、図１に示すものとは異なる変形例の調整用鉤部材Ａ’を示す。図１に示す調整用鉤部材Ａと図２に示す調整用鉤部材Ａ’とが基本的に異なるところは、シリコーン樹脂片１の長さであって、それ以外のところは全く同一である。そして、図１(a)、図２(a)には、２つの調整用鉤部材Ａ，Ａ’を片方から見た状態を、図１(b)、図２(b)には、図１(a)、図２(a)の状態から２つの調整用鉤部材Ａ、Ａ’を裏返して見た状態を示す。
【００１９】
図１(a)、(b)及び図２(a)、(b)に示すように、シリコーン樹脂片１は両端が広幅であって、その間である中央部分が図面符号４で示すように幅方向において他の部分より細くなっている。そして、図１(a)、図２(a)の右側に示すように、一方の広幅部分１ａの片面には、側方から見てコ字状であって前記フック部材Ｃを係入させ得る受片２が取り付けられている。
また、図１(b)、図２(b)の左側に示すように、図１(a)、図２(a)の状態からシリコーン樹脂片１を裏返したもう一方の広幅部分１ｂの片面には、前記アイ部材Ｄに掛合させ得る留金片３が取り付けられている。
このように、受片２と留金片３とは、シリコーン樹脂片１の両端である広幅部分１ａ，１ｂの反対側の面に、それぞれ取り付けられている。
【００２０】
前記フック部材Ｃとアイ部材Ｄとは、図８に示すようにズボンＢの打合わせ部分や、図示はしないがスカートのような衣類の打合わせ部に取り付けられ、ウエストを固定するためのものである。ズボンＢやスカートを着用するときには、腰周りをウエストサイズよりも広く開放する方が着用し易いから、その状態で着用し、着用後、フック部材Ｃをアイ部材Ｄに掛合させることにより、腰に固定できる。
ズボンＢやスカートなどの衣類に取り付けられているこの係止具に、ここに例示する調整用鉤部材Ａ，Ａ’を取り付けることにより、ウエストサイズを容易に調整できる。
【００２１】
ズボンを例に挙げて説明すると、ズボンＢの打合せ部分に取り付けられているフック部材Ｃをアイ部材Ｄに掛合させた場合のウエストの長さでは、ズボンＢがはけなくなることがある。例えば、着用時今までより肥えていた場合や、食事後でウエストサイズが大きくなる場合があり、このような場合にズボンＢの打合せ部分における係止具の掛合位置を調整することができれば、極めて都合が良い。
【００２２】
この場合に用いると便利な調整用鉤部材が、一例として、図１においてＡで、図２においてＡ’で示してある。ここに例示されている調整用鉤部材Ａ，Ａ’の主体はシリコーン樹脂片１である。このシリコーン樹脂片１は反発弾性が極めて良好で、耐候性にも優れている他、電気絶縁性などにも優れており、さらに、薄くても引っ張り強度を備えているという特性を備えている。
【００２３】
したがって、図９に示すように、このシリコーン樹脂片１に取り付けられている留金片３をズボンＢの打合せ部分のアイ部材Ｄに掛合させるとともに、シリコーン樹脂片１に取り付けられている受片２にズボンＢの打合せ部分のフック部材Ｃを係入すると、留金片３と受片２との間でシリコーン樹脂片１が伸縮するから、係止具の掛合位置を異ならしめてウエスト調整した場合と同様の効果がある。また、シリコーン樹脂片１を伸縮させることができるから、必要な分だけの伸縮効果が得られる。
【００２４】
そして、前記受片２に対峙させてシリコーン樹脂片１にすべり止め用の突起５が形成されている。
この場合には、前記フック部材Ｃを受片２に係入したとき、図１０に示すように、前記突起５が前記フック部材Ｃを押えるので、フック部材Ｃから本調整用鉤部材Ａ，Ａ’が外れにくい。
【００２５】
ここでは、図１(a)、図２(a)に示すように、前記受片２へのフック部材Ｃの係入方向に、すべり止め用の突起５，５を複数形成した場合を例示する。
このようにした場合には、複数の突起５，５が長さ方向の複数個所において前記フック部材Ｃを押えるので、ズボンＢの打合わせ部分に取り付けられているフック部材Ｃから本調整用鉤部材Ａ，Ａ’がより外れにくくなる。
【００２６】
シリコーン樹脂片１の両端の広幅部分１ａ，１ｂ間である中央部分は、図面符号４で示すように幅方向において他の部分より細くなっている。
このようになっていると、シリコーン樹脂片１の屈曲性が増すため、本調整用鉤部材Ａ，Ａ’をズボンやスカートの打合わせ部分にあるフック部材Ｃとアイ部材Ｄに取り付けたとき、ウエストに沿いやすく、しかも、フィットしやすいので、両者の係合状態がより外れにくくなる。
【００２７】
次に、本調整用鉤部材Ａ，Ａ’には受片２と留金片３とが取り付けられているが、これらの部材のシリコーン樹脂片１への取り付け方、すなわち、本調整用鉤部材Ａ，Ａ’の製造方法について、詳細に説明する。
なお、シリコーン樹脂片１の受片２を取り付けるべき付近には、成型という手法により前記受片２に対峙するように、すべり止め用の突起５があらかじめ形成されている。
【００２８】
前記受片２と前記留金片３には、図４、図６の下側に示すように、それぞれ左右一対の脚片２ａ，２ａ、３ａ，３ａを形成しておき、各脚片２ａ，２ａ、３ａ，３ａを図５(a)、図７(a)に示すように、シリコーン樹脂片１へ差込んだ後、図５(b)、図７(b)に示すように、前記シリコーン樹脂片１の面に沿わせて折曲する。
しかる後、少なくとも折曲された各脚片２ａ，２ａ、３ａ，３ａの周辺を、図５(c)、図７(c)に示すように、ＨＴＶシリコーン６で塞ぎ、さらに、図５(d)、図７(d)に示すように、その上から液状のＲＴＶシリコーン７を流し込んで各脚片２ａ，２ａ、３ａ，３ａを前記シリコーン樹脂片１に埋入し、前記受片２と留金片３とを前記シリコーン樹脂片１に固着させる。
【００２９】
この製造方法によれば、受片２と留金片３とがＨＴＶシリコーン６とＲＴＶシリコーン７の２種類のシリコーンでシリコーン樹脂片１に固定されるから、シリコーン樹脂片１から妄りに外れることがない。また、見映えも良い。さらに、シリコーン樹脂片１の片面に備えられている受片２にズボンＢに取り付けられているフック部材Ｃを係入し、シリコーン樹脂片１の他の面に備えられている留金片３をアイ部材Ｄに掛合させることにより、シリコーン樹脂片１がアイ部材Ｄとフック部材Ｃの相反する方向から引っ張られることになるが、受片２と留金片３の腹部がシリコーン樹脂片１に埋入・固定されているため、このような引っ張り応力にも十分耐え得る。
【００３０】
ＨＴＶシリコーンは高粘度コンパウンドからできており、加硫剤（触媒）を配合することによって加熱硬化する樹脂である。
一方、ＲＴＶシリコーンは液状のもので、型に流し込んで室温で硬化させることができる樹脂である。急速に硬化させるには、加熱すれば良い。
【００３１】
ここには、図３(a)、(b)に示すように、シリコーン樹脂片１の両端の広幅部分１ａ，１ｂに左右一対の脚片２ａ，２ａ、３ａ，３ａを差し込み得る孔１ｃ，１ｃがそれぞれ形成された場合を例示する。このような孔１ｃ，１ｃが形成されていると、前記シリコーン樹脂片１に左右一対の脚片２ａ，２ａ、３ａ，３ａを装着しやすく、また、シリコーン樹脂片１に装着した受片２と留金片３の安定性も良い。
【００３２】
また、ここには、図４、図６の上側に示すように、前記各脚片２ａ，２ａ、３ａ，３ａをシリコーン樹脂片１の窪み１ｄ（図３(b)参照）に嵌入させ得る基板２ｂ，３ｂ（図４、図６の上側に示す）に係合させて折曲する場合を例示する。このようにした場合には、シリコーン樹脂片１に装着した受片２と留金片３の安定性がさらに良くなるので、受片２と留金片３とがＨＴＶシリコーン６とＲＴＶシリコーン７の２種類のシリコーンでシリコーン樹脂片１に一層強固に固定されることになる。したがって、受片２と留金片３とがシリコーン樹脂片１から妄りに離脱することがない。
【００３３】
図４に示すように、受片２用の基板２ｂには左右に切欠２ｃ，２ｃが形成してあって、両切欠２ｃ，２ｃ部分に左右一対の脚片２ａ，２ａを差込んで折曲するようにしてある。また、図６に示すように、留金片３用の基板３ｂには左右に孔３ｃ，３ｃが形成してあって、２つの孔３ｃ，３ｃ部分に左右一対の脚片３ａ，３ａを差込んで折曲するようにしてある。
このようにすると、シリコーン樹脂片１に装着した受片２と留金片３の安定性がさらに一層良くなるので、受片２と留金片３とがＨＴＶシリコーン６とＲＴＶシリコーン７の２種類のシリコーンでシリコーン樹脂片１にさらに一層強固に固定される。
【００３４】
シリコーン樹脂片１の両端の広幅部分１ａ，１ｂに形成されている左右一対の孔１ｃ，１ｃや基板２ｂ，３ｂに形成されている切欠２ｃ，２ｃ、孔３ｃ，３ｃは、シリコーン樹脂片１に形成されている前記窪み１ｄに流し込んだＨＴＶシリコーン６で塞がれ、このシリコーンの硬化とともに受片２及び留金片３がシリコーン樹脂片１に固着され、さらに、その上から流し込まれた液状のＲＴＶシリコーン７の硬化により、シリコーン樹脂片１にさらに一層強固に固定されることになる。
なお、図５(c)では、解りやすくするために、基板２ｂに形成されている切欠２ｃ，２ｃにＨＴＶシリコーン６が流れ込んでいない状態で示してある。
【符号の説明】
【００３５】
１…シリコーン樹脂片、１ａ，１ｂ…広幅部分、１ｃ…孔、１ｄ…窪み、２…受片、２ａ…脚片、２ｂ…基板、２ｃ…切欠、３…留金片、３ａ…脚片、３ｂ…基板、３ｃ…孔、５…突起、６…ＨＴＶシリコーン、７…ＲＴＶシリコーン、Ａ，Ａ’…調整用鉤部材、Ｂ…ズボン、Ｃ…フック部材、Ｄ…アイ部材。
【図１】
0005524738.tif 000002
【図２】
0005524738.tif 000003
【図３】
0005524738.tif 000004
【図４】
0005524738.tif 000005
【図５】
0005524738.tif 000006
【図６】
0005524738.tif 000007
【図７】
0005524738.tif 000008
【図８】
0005524738.tif 000009
【図９】
0005524738.tif 000010
【図１０】
0005524738.tif 000011